(57)【要約】      （修正有）【課題】簡素な構成でありながら着座者の姿勢に応じて座が最適な形状をなし得る椅子を提供する。【解決手段】椅子１は、同図に示すように、後部２４が下方に沈み込み可能なように上下方向に変位可能に構成された座２と、この座２の前端部を例えば前後方向に傾動しないように固定することにより支持している支持体３と、座２に支持された背凭れ４と、座２と背凭れ４に亘って設けられた肘掛け５とを具備してなるものである。また椅子１は、前記座２の下方に、前記座２の後部２４の上下方向の変位に応じて座２の下面に接する位置が変化することにより座２の変形形状を規制する規制面６を有する。【選択図】図１
2013000447.tif 000002
【特許請求の範囲】
【請求項１】
後部が少なくとも上下方向に変位し得る自由端であり着座者の体重移動によって前記後部が上下方向に変位するとともに変形可能に構成された座と、この座を支持する支持体とを備えた椅子であって、
前記座の下方に、前記座の後部の上下方向の変位に応じて座の下面に接する位置が変化することにより座の変形形状を規制する規制面を有することを特徴とする椅子。
【請求項２】
前記座の前端は前記支持体に固定されるものとしている請求項１記載の椅子。
【請求項３】
前記規制面を前記支持体に設けるとともに、前記規制面を前記座の前端から連続するように形成したものである請求項１又は２記載の椅子。
【請求項４】
前記座が、弾性変形可能な板状をなす合成樹脂製のものである請求項１、２又は３記載の椅子。
【請求項５】
前記規制面の少なくとも一部は前後方向に上向きに膨出した凸状面である請求項１、２、３又は４記載の椅子。
【請求項６】
前記規制面の少なくとも一部は左右方向に上向きに膨出した凸状面である請求項１、２、３、４又は５記載の椅子。
【請求項７】
前記座を、前後方向の変形よりも左右方向の変形が起こり難いように構成している請求項１、２、３、４、５または６記載の椅子。
【請求項８】
背凭れを有するものであり、この背凭れ及び前記座が背座一体のシェルを構成するものである請求項１、２、３、４、５、６又は７記載の椅子。
【請求項９】
前記シェルは弾性樹脂とエストラマーの積層構造である請求項８記載の椅子。
【発明の詳細な説明】
【技術分野】
【０００１】
本発明は、着座者の着座により座が動作可能な椅子に関するものである。
【背景技術】
【０００２】
従来、椅子においては着座者の姿勢に応じて座の位置や形状を変化させるべくリンク機構や、複数のスプリング等を使用した椅子が種々提案されている。そして近年、座に用い得る素材の多様化も相まって、椅子を構成する部品点数を削減し得る構成として、座自体が弾性変形し得るように構成された椅子が着目されている。(例えば、特許文献１参照)。
【０００３】
当該特許文献記載の椅子は、着座者の姿勢に応じた姿勢並びに傾動反力を生じさせるために、座、具体的には椅子本体を構成する座部自体に弾性変形し得る素材を用いることに加え、座部の後部を伸縮による弾性変形が可能に構成されたガススプリングである補助弾性体に支持させ、これに座部の動作下端を決定させている。これにより、座部すなわち座の弾性変形と補助弾性体の弾性変形とを協働させ、着座者の姿勢に応じた適度な座の変形及び反力の付与を可能なものとしている。
【０００４】
しかし着座者それぞれの着座姿勢の変更に対し、着座者の所望する座の姿勢又は形状に対応させることを厳密に考えると、着座者の体重移動による各姿勢により求められる座の姿勢又は形状は直線的に変化するわけではない。よって、これら座の姿勢又は形状を着座者の各姿勢に正確に対応させようとして直線的な伸縮のみを行なう上記特許文献の如く補助弾性体を適用すると、これらを複数設けたり、これらそれぞれの弾性力を適宜調整したりしなければならない。その結果、椅子の部品点数を増大させたり、構造を複雑なものとしたりしてしまう。
【先行技術文献】
【特許文献】
【０００５】
【特許文献１】特開２０００−３４２３７７号公報
【発明の概要】
【発明が解決しようとする課題】
【０００６】
本発明は、上述した点に着目したものであり、簡素な構成でありながら着座者の姿勢に応じて座が最適な形状をなし得る椅子を提供することを目的としている。
【課題を解決するための手段】
【０００７】
本発明は、このような目的を達成するために、次のような手段を講じたものである。
【０００８】
すなわち本発明に係る椅子は、後部が少なくとも上下方向に変位し得る自由端であり着座者の体重移動によって前記後部が上下方向に変位するとともに変形可能に構成された座と、この座を支持する支持体とを備えた椅子であって、前記座の下方に、前記座の後部の上下方向の変位に応じて座の下面に接する位置が変化することにより座の変形形状を規制する規制面を有することを特徴とする。
【０００９】
ここで、「座の下面に接する位置が変化する」とは、常に規制面が座の下面の何れかの部位に接したもののみに限定されない。すなわち、座部の変位する動作の途中で初めて座の下面に接するものも含む概念である。また勿論、座の下面に接する位置のみが変化するもののみならず、下面に接する範囲すなわち面積が変化するという意味をも含む概念である。
【００１０】
このようなものであれば、着座者の体重移動によって規制面が座の下面に接する位置を変化させることにより、座の上下方向の変位する度合いに応じて規制面により座の形状が変化する。その結果、着座者の体重移動における各姿勢に応じて座の形状を設定することができるので、着座者は、体重移動におけるそれぞれの姿勢に対し最適に形状設定された座に着座できるようになる。その結果、簡素な構成でありながら着座者の姿勢に応じて最適な形状に座が変形し得る椅子を実現することが可能となる。
【００１１】
また、変形可能な前記座を安定して変位させ得る構成としては、前記座の前端を前記支持体に固定するようにしておくことが望ましい。
【００１２】
さらに、前記規制面を支持体に設けるとともに、前記座の前端から連続するように形成したものとすれば、着座者の体重移動により連続的に規制面と座の下面との接触位置が変化させてスムーズに座を変形させることができる。
【００１３】
加えて、座が、弾性変形可能な板状をなす合成樹脂製のものとすれば、規制面と座の下面との接触位置の変化により座の形状のみならず、座の弾性による反力も同時に設定し得る。
【００１４】
そして着座者が快適な前後方向の体重移動を行なうための規制面の具体的な形状として、規制面の少なくとも一部を前後方向に上向きに膨出した凸状面とした態様を挙げることができる。
【００１５】
加えて、規制面の少なくとも一部を左右方向に上向きに膨出した凸状面とすれば、着座者は左右方向の体重移動もスムーズに行ない得る。
【００１６】
一般に着座者の前後方向への体重移動はその大腿部、腰部を動かすことによって体の形状すなわち姿勢を変更する場合が多い反面、左右方向への体重移動は大腿部や腰部が成す角度はあまり変化せずに単に体の向きを変更するような場合が多い。このことから鑑みれば、座を前後方向の変形よりも左右方向の変形が起こり難いように構成しておけば、左右の体重移動の際の座の変形によって着座者の臀部等に違和感を感じさせずに済む。
【００１７】
そして座に支持された背凭れの好適な一例としては、背凭れ及び座によって背座一体のシェルを構成するものとしたものが挙げられる。このようなものであれば、座の後端は背と連続することで自ずと他の部位よりも剛性が高くなる。
【００１８】
特に座の変形や弾性反発力を快適なものとしつつ着座者の上体にも好適に追随し得るシェルを構成する一例として、このシェルを弾性樹脂とエストラマーの積層構造とした態様を挙げることができる。
【発明の効果】
【００１９】
本発明によれば、簡素な構成でありながら着座者の姿勢に応じて最適な形状に座が変形し得る椅子を提供することができる。
【図面の簡単な説明】
【００２０】
【図１】本発明の一実施形態に係る椅子の側面図。
【図２】同要部を示す分解斜視図。
【図３】同要部を示す分解した平面図。
【図４】同要部を示す分解した背面図。
【図５】図１に対応した動作説明図。
【図６】図４に対応した作用説明図。
【図７】同実施形態の変形例１に係る側面図。
【図８】同変形例の要部を示す斜視図。
【図９】同実施形態の変形例２を示す側面図。
【図１０】同実施形態の変形例３を示す側面図。
【図１１】同実施形態の変形例４を示す外観図。
【発明を実施するための形態】
【００２１】
以下、本発明の一実施の形態について図面を参照して説明する。
【００２２】
本実施形態に係る椅子１は、図１乃至６に示すように、本発明を事務用回転椅子に適用した場合のものである。この椅子１は、同図に示すように、後部２４が下方に沈み込み可能なように上下方向に変位可能に構成された座２と、この座２の前端部を例えば前後方向に傾動しないように固定することにより支持している支持体３と、座２に支持された背凭れ４と、座２と背凭れ４に亘って設けられた肘掛け５とを具備してなるものである。また本実施形態では、上記の座２、背凭れ４、肘掛け５を設ける一例として、これらを一体に形成することにより単一のシェルＳを構成した態様を開示している。
【００２３】
ここで、本実施形態に係る椅子１は、前記座２の下方に、前記座２の後部２４の上下方向の変位に応じて座２の下面２ａに接する位置が変化することにより座２の変形形状を規制する規制面６を有することを特徴とする。
【００２４】
以下、椅子１の各構成要素について説明する。本実施形態に係る椅子１は、支持体３の上側に、座２、背凭れ４及び肘掛け５とが一体に成形された弾性変形可能なシェルＳを取り付けた基本構成をなしている。
【００２５】
支持体３は、図１乃至６に示すように、脚羽根３１と、この脚羽根３１から立設された脚支柱３２と、この脚支柱３２の上端に支持され前記脚支柱７２の軸心まわりに旋回可能な支基３４とを備えたものである。前記脚支柱３３は、ガススプリングにより構成されており、このガススプリングのシリンダ軸３３の上端に前記支基３４が固定された構成としている。支基３４は前端から後端に向かって漸次幅狭となる平面視台形状をなすもので、その前端には座２を取り付ける座取付面３５を形成するとともにこの座取付面３５から後方に、本発明に係る規制面６を形成している。この規制面６の具体的な形状については後述する。
【００２６】
シェルＳは、座２及び背凭れ４を連続させた構成とするとともに、座２の両側及び背凭れ４の両側に湾曲形状をなす肘掛け５を架け設けた構成としている。そして本実施形態では、このシェルＳの素材としてガラス繊維等の繊維で強度を調整した弾性樹脂とゴムのような弾性を有する樹脂であるエストラマーとの積層構造をなす素材を適用している。これによりこのシェルＳは、部分的に厚みを調整することにより所要の強度を得るとともに、弾性樹脂のみの構成に比べ弾性反力が抑えられたものとなっている。
【００２７】
座２は、図１ないし図５に示すように、上述した合成樹脂等により作られた弾性変形可能な板状のもので、シェルＳを構成する素材の厚みを適宜設定することにより、座２は後傾反力を出すため適切な剛性を確保されている。そして座２は、前方から、前嵌合部２１と、密着部２２と、中間部２３と、自由端たる後部２４とをそれぞれ有している。前嵌合部２１は側面視Ｕ字状をなしており、支持体３により支持されている。本実施形態では、前嵌合部２１は支基３４の前端に設けられた座取付面３５に主に弾性変形を利用して嵌め込むことにより取り付けられる。また前嵌合部２１と座取付部３５との取り付けは、上記の嵌め込みによる取り付けに加え、ねじ止め等の適宜の止着方法を併せて行なっても良い。なお斯かる構成により廃棄時には支基３４とシェルＳとの分離も容易に行ない得るので、この椅子１は、それぞれの分別廃棄も容易なものとなっている。密着部２２は、実際には着座者の大腿部あたりを支持する水平からやや前方に傾斜している領域を指し、本実施形態ではこの部分が支基３４に対して常に密着している。中間部２３は、主に座２の前後方向中央に位置する領域であり、着座者の後方への体重移動によって適宜変形するものである。また本実施形態では、この中間部２３の両側に、肘掛け５を一体的に連続させている。後部２４は、沈み込む前の初期状態（ｐ）と最も沈み込んだ沈下状態（ｑ）との間で沈み込み動作を行ない得るようになっており、初期状態（ｐ）では下方に支基３４との間の空間が形成されることにより、自由端となっている。すなわち、後部２４は、初期状態（ｐ）において支持体３の上面と離間しており、座２に作用する荷重に応じて座２の弾性変形を利用して適宜沈み込むようになっている。また本実施形態では、この後部２４から上方に背凭れ４が連続して設けられている。換言すれば、この後部２４が専ら背凭れ４を支持している。なお、図１では、初期状態（ｐ）を実線で示すとともに、沈下状態（ｑ）を二点鎖線で示している。
【００２８】
背凭れ４は、下方が座２の後部２４に連続することにより座２とともに一体に成形されたものである。この背凭れ４は、座２との接続部分である厚肉接続部４３と、この厚肉接続部４３の上方に連続して着座者の腰部を主に支持するための腰支持部４２と、この腰支持部４２の上方に連続して着者者の状態を支持するための薄肉上部４１とを有している。厚肉支持部は、シェルＳを構成する素材を厚肉に形成することにより他の部位よりも弾性変形を行ない難く構成している。腰支持部４２は、平面視で中央を後方に凹ませた形状として着座者の腰部を包み込むように支持するため、背凭れ４及び座２すなわちシェルＳが左右に傾いた際にも着座者を安定して支持できるようになっている。併せて腰支持部４２は、その両端から肘掛け５を立ち上がらせている。これにより本実施形態では、肘掛け５が両側から背凭れ４及び座２に対して架け設けられた座２の後部２４から背凭れ４の腰支持部４２に亘るシェルＳの一部分は必然的に強度が高くなり着座者の臀部から腰部を安定して支持できるようにしている。これにより、着座者は後傾することにより座２の後部２４が沈下状態（ｑ）にあっても、左右に傾いた状態であっても、臀部、腰部が安定して支持される事による安心感を得ることができる。薄肉上部４１を設けることにより、腰から上は薄く柔らかく設定して、着座者の上体を支持しつつ、且つ、上体の動作を過度に妨げないようにしている。
【００２９】
肘掛け５は、背凭れ４及び座２に一体に連続して側面視ループ形状を構成し得るものである。これにより、背凭れ４及び座２の接続部分付近における強度を担保している。またこの肘掛け５は、本実施形態ではシェルＳの一部として、座２及び背凭れ４と一体に成形されたものとしている。しかし勿論、背凭れ４は背凭れ４及び座２に対し一体に成形される態様のみならず、背座２一体成形のシェルＳに対して湾曲形状の部材を後付けすることによって肘掛け５を設けたものとしても良い。
【００３０】
しかして本実施形態の椅子１は、座２の下方である支基３４の上面に、上述した規制面６、すなわち、座２の後部２４の上下方向の変位に応じて座２の下面２ａに接する位置が変化することにより座２の変形形状を規制する規制面６を有することを特徴とする。
【００３１】
以下、支基３４の上面に形成された規制面６の形状について主に詳述する。
【００３２】
規制面６は、前記規制面６を支基３４の前端にある座取付面３５から連続するように形成したものである。この規制面６は、本実施形態ではおもに前向けに若干傾斜してなる前領域６１と、この前領域６１に連続し、後方に緩く傾斜している中領域６２と、後端に向かってやや大きく傾斜する後領域６３とを主に有している。そして本実施形態では前領域を座２の下面２ａに密着させた密着面６ａとするとともに、中領域６２及び後領域６３には、前後方向に上向きに膨出した曲面である前後凸面６ｂを形成することにより、着座者の前後の体重移動に応じた座２の変形を成し得るようにしている。また併せて中領域６２及び後領域６３には、左右方向にも上向きに湾曲した曲面である左右凸面６ｃが併せて形成されることにより、この左右凸面６ｃの形状に合わせて座２の主に中間部２３及び後部２４を左右に傾けて変形した姿勢も取り得るようになっている。
【００３３】
以下、本実施形態の椅子１において、着座者の体重移動によって起こる座２の変形について説明する。
【００３４】
まず、着座者の前後方向の体重移動により、座２の後部２４が図１に示す初期状態（ｐ）から同図に示す沈下状態（ｑ）へとなるべく座２が変形する。そもそも着座者の体重は初期状態（ｐ）においても中間部２３から後部２４に掛けて多く係っているので、前後方向の体重移動により速やかに変形する。具体的には、座２の下面２ａは前後凸面の湾曲度合いに応じて規制面６への接触面積を徐々に増しながら変形していく。そして図示の沈下状態（ｑ）の近傍では、前後凸面は中領域６２よりも後領域６３における傾斜度合いが大きいので、座２の後部２４は大きく沈下し、背凭れ４は大きく後傾する。また同時にこの時、背凭れ４では厚肉湾曲部の変形と肘掛け５を接続している腰支持部４２の変形よりも薄肉上部４１の変形が大きくなる。このため、係る場合には腰支持部４２の突出が相対的に大きくなるような変形となる。
【００３５】
そして本実施形態では図６に示すように、左右凸面６ｃを形成することにより、左右方向、体重で傾けることも可能となっている。同図では、後領域６３に設けた左右凸面６ｃの曲率が大きく構成されているので、後部２４を沈下上体としたときに着座者が横方向に体重を預けると、腰支持部４２及び一方の肘掛け５が着座者の体重を受け、それに伴い座２の下面２ａが左右凸面６ｃの湾曲形状に沿って大きく傾けることができる。特に本実施形態では、この肘掛け５を設けておくことにより、着座者は何れか一方の肘掛け５に掴まるか或いは凭れながら、座２の上に安定した状態を維持しつつ左右に体重移動ができるので、体重移動の際に安定感並びに安心感を得ることができる。
【００３６】
以上のような構成とすることにより、本実施形態に係る椅子１は、着座者の体重移動によって規制面６が座２の下面２ａに接する位置を変化させることにより、座２の上下方向の変位する度合いに応じて規制面６により座２の形状が変化する結果、着座者の体重移動における各姿勢に応じて座２の形状を設定することができるので、着座者は、体重移動におけるそれぞれの姿勢に対し最適に形状設定された座２に着座２できるようになる。その結果、簡素な構成でありながら着座者の姿勢に応じて最適な形状に座２が変形し得る椅子１を実現することが可能となる。
【００３７】
特に本実施形態では、規制面６が着座者の体重移動に応じて座２を漸次変形させてゆくものであるため、図５に示すような着座者の後方への体重移動の際にはシェルつまり座が前部から後方へ向かって、図６に示すような左右の体重移動の際には座が左右に向かって徐々に変形してゆく。このことは、規制面６を有さずに座２の前端のみを片持ちにより支持するような従来のものに比べて変形部分が局所的に集中するということが無く、全体的に大きな変形をさせても各部分は小さな変形が連続してゆくものであるため局所的に無理な変形が起こらない。つまり、繰り返しシェルＳ、座２を変形させても疲労等による破壊されるということが起こり難い。すなわち、斯かる構成によれば耐久性の高い物とすることができ、結果として製品寿命の長い椅子を提供し得る。
【００３８】
また、安定して座２を変位させ得るために本実施形態では、座２の前端前嵌合部２１として支持体３に固定するようにしている。
【００３９】
さらに本実施形態では規制面６を支持体３に設けるとともに、この規制面６を座２の前端から連続するように形成しているので、着座者の体重移動により連続的に規制面６と座２の下面２ａとの接触位置を変化させてスムーズに座２を変形させ得るものとなっている。
【００４０】
加えて本実施形態では座２を弾性変形可能な板状をなす合成樹脂製のものとしているので、規制面６と座２の下面２ａとの接触位置の変化により座２の形状のみならず、座２の弾性による反力も同時に設定し得るものとなっている。
【００４１】
そして着座者が快適な前後方向の体重移動を行なうための規制面６の具体的な形状として本実施形態では、前後方向に上向きに膨出した前後凸面を形成している。
【００４２】
併せて本実施形態では、規制面６として左右方向に上向きに膨出した左右凸面６ｃを形成することにより、着座者は左右方向の体重移動もスムーズに行ない得る座２の変形を担保している。
【００４３】
座２の後部２４の変位がそのまま着座者の状態の姿勢に直結し易いように本実施形態では、具体的には座２と一体に形成されたシェルＳを適用している。加えてこの構成により座２の背凭れ４との境界部分である座２の後部２４は自ずと剛性が高くなるようになっている。しかも本実施形態では厚肉接続部４１によりシェル２における他の部位よりも厚み寸法が大きく設定し、着座者の体重移動の際にも着座者に安心感を与えるに足るシェルＳの動作を実現している。
【００４４】
加えて本実施形態では、このシェルＳを弾性樹脂とエストラマーの積層構造とした態様として、着座者に適度な弾性や質感を付与している。特に本実施形態ではこのシェルＳの厚みをシェルＳの部分によって適宜異なるよう設定することで、着座者を安定して支持すべき箇所と着座者の動作に追随し易い箇所とを適宜設け、着座者の快適な座り心地を実現している。
【００４５】
＜変形例１＞
以下に、本実施形態の各変形例について説明する。なお、これら各変形例について、上記実施形態の構成要素に相当するものには同じ符号を付すとともに、その詳細な説明を適宜省略するものとする。
【００４６】
図７及び図８に示す椅子１は、規制面６の中領域６２を、平面状に切り欠いた切欠平面６ｄとしている。これにより、着座者の後傾動作における初期においては座２自体の弾性による変形のみとし、沈下状態（ｑ）近傍において後領域６３に設けた左右凸面６ｃで座２の変形を制御し得るものとしている。
【００４７】
すなわち本実施形態に係る規制面６とは、着座者の体重移動に応じて常に徐々に下面２ａに接する位置が異なる態様のみならず、所要の動作領域にのみ下面２ａに接し、座２の変形を制御し得るものとしても良い。
【００４８】
＜変形例２＞
また本変形例２に係る椅子１は、図９に示すように、規制面６の中領域６２から後領域６３にかけて複数の横架材６４を突出させて設けることにより、座２の下面２ａに対し間欠的に当接し得る間欠当接面６ｅを設けたものである。この間欠当接面６ｅにより、着座者は後傾動作の際には横架材６４が座２の下面２ａに当接する毎に着座者は座２から軽い振動を感じることができる。
【００４９】
このようなものであっても、横架材６４の配置や形状に応じて座２の変形を制御することが可能である。なお図示しないが、当該間欠当接面６ｅに対応するように座２の下面２ａに別途凹凸等を設ければ、後傾すなわち後方への体重移動時や左右への体重移動時の座２を安定支持し得る。
【００５０】
＜変形例３＞
本変形例３に係る椅子１は、図１０に示すように、支基３４の前端部に回動支持部３６を設けると共に規制面６の前領域６１及び中領域６２を切欠平面６ｄとすることにより、後傾動作における前半の工程では座２自体の回動動作を行ない得る態様としたものである。係る座２の場合、回動支持部付近に荷重が集中する傾向にあるため、座２の前嵌合部２１に連続する前部２２及び中間部２３は規制面６に密着せずに回動動作を行ない、沈下状態（ｑ）でのみ規制面６が下面２ａに接触し、左右凸面６ｃによる左右の体重移動に係る座２の変形を許容し得る構成である。
【００５１】
すなわち本実施形態に係る椅子１は、座２が支持体３に支持されていれば、支持される態様はなんら限定されない。
【００５２】
＜変形例４＞
本変形例４に係る椅子は、座２の下面２ａに対し、左右方向に延びるリブ２ｒを突出させている。このリブ２ｒを前後方向に間隔を空けて複数設けることにより、前後方向の変形よりも、左右方向の変形が起こり難く構成したものである。これにより、着座者が左右方向に偏って体重を掛けた際、座２は左右凸面６ｃ上で座２が左右方向に湾曲するように変形し、着座者の臀部等に予期せぬ突出感を与えるという不具合を有効に解消し、座２が左右方向に全体的にねじれ変形してゆくものとなっている。
【００５３】
以上、本発明の実施形態について説明したが、各部の具体的な構成は、上述した実施形態のみに限定されるものではなく、本発明の趣旨を逸脱しない範囲で種々変形が可能である。
【００５４】
例えば、上記実施形態では専ら座に支持された背凭れを適用した態様を開示したが、勿論、支持体に支持された、座とは別体の背凭れを備えたものとしても良い。
【００５５】
そして本実施形態では何れも、凸状面の突出度合いを一方から他方向に行くに従い漸次強くした形状のみを開示したが、例えば規制面の後端付近で突出度合いが逆に小さくなるような左右凸状面を設けて最も後ろに体重移動した場合には逆に左右方向には安定するような規制面の形状としてもよい。このように、規制面の具体的な形状は前後左右の凸状面ともに、所望の座の変形形状を実現すべく適宜変更しても良い。また支持体の形状や背凭れや肘掛けの形状などの具体的な態様は上記実施形態のものに限定されることはなく、既存のものを含め、種々の態様のものを適用することができる。
【００５６】
その他、各部の具体的構成についても上記実施形態に限られるものではなく、本発明の趣旨を逸脱しない範囲で種々変形が可能である。
【産業上の利用可能性】
【００５７】
本発明は着座者の着座により座が動作可能な椅子として利用することができる。
【符号の説明】
【００５８】
１…椅子
２…座
２ａ座の下面（下面）
２１…座の前端（前嵌合部）
２４…後部、自由端（自由端）
３…支持体
４…背凭れ
４３…境界部分（厚肉接続部）
６…規制面
６ｂ…凸状面（前後凸面）
６ｃ…凸状面（左右凸面）
Ｓ…シェル
【図１】
2013000447.tif 000003
【図２】
2013000447.tif 000004
【図３】
2013000447.tif 000005
【図４】
2013000447.tif 000006
【図５】
2013000447.tif 000007
【図６】
2013000447.tif 000008
【図７】
2013000447.tif 000009
【図８】
2013000447.tif 000010
【図９】
2013000447.tif 000011
【図１０】
2013000447.tif 000012
【図１１】
2013000447.tif 000013